(57)【特許請求の範囲】
【請求項１】
第１及び第２間欠受信サイクルのどちらを使用すべきかを定める情報をメディアアクセスコントロール制御要素中でベースステーションから受信する段階であって、前記ベースステーションは第１の長さの前記第１の間欠サイクル及び第２の異なる長さの前記第２の間欠受信サイクルのいずれかを選択しており、前記第１及び第２サイクルは、両方とも、他のサイクルと独立した選択に利用できるものである段階と、
前記選択されたサイクルを使用する段階と、
を含み、
前記情報は、前記第１サイクルと第２サイクルとの間の暗示的スイッチングをディスエイブルするように構成された方法。
【請求項２】
前記選択段階は、前記ベースステーションへ送信されるべくユーザ装置でバッファされるデータがないとの決定に応答して、前記第１及び第２サイクルの長い方を選択することを含む、請求項１に記載の方法。
【請求項３】
前記選択段階は、前記ベースステーションへ送信されるべくユーザ装置でバッファされるデータが前記第１及び第２サイクルの長い方に関連する遅延を寛容するとの決定に応答して、前記第１及び第２サイクルの長い方を選択することを含む、請求項１に記載の方法。
【請求項４】
前記選択段階は、チャンネルに関連した構成された遅延寛容性に依存する、請求項３に記載の方法。
【請求項５】
前記選択段階は、各々の確立されたベアラに関連したサービス品質クラス識別子に応答して行われる、請求項１から４のいずれかに記載の方法。
【請求項６】
前記第１サイクルは、長いサイクルを含み、前記第２サイクルは短いサイクルを含む、請求項１から５のいずれかに記載の方法。
【請求項７】
第１の長さの第１の間欠サイクル及び第２の異なる長さの第２の間欠受信サイクルの１つを選択する段階であって、前記第１及び第２サイクルは、両方とも、他のサイクルと独立した選択に利用できるものである段階と、
メディアアクセスコントロール制御要素中で第１及び第２間欠受信サイクルのどちらを使用すべきかを定める情報をユーザ装置へ送信する段階と、
を含み、
前記情報は、前記第１サイクルと第２サイクルとの間の暗示的スイッチングをディスエイブルするように構成された方法。
【請求項８】
前記選択段階は、各々の確立されたベアラに関連したサービス品質クラス識別子に応答して行われる、請求項７に記載の方法。
【請求項９】
前記選択は、ベースステーションへ送信させるべく前記ユーザ装置でバッファされるデータがないとの決定に応答して、前記第１および第２サイクルの長い方を選択することを含む、請求項７又は８に記載の方法。
【請求項１０】
前記第１サイクルは、長いサイクルを含み、前記第２サイクルは短いサイクルを含む、請求項７又は９に記載の方法。
【請求項１１】
前記選択は、ダウンリンクＤＬデータ、ＵＥからのバッファ状態レジスタ、チャンネル、確立されるチャンネルの形式、確立の原因、及び／又はＵＥ構成、のうちの少なくとも１つに依存する、請求項７から１０のいずれかに記載の方法。
【請求項１２】
前記選択段階は、チャンネルに関連した構成された遅延寛容性に依存する、請求項７から１１のいずれかに記載の方法。
【請求項１３】
実行時に、請求項１から１２のいずれかに記載の方法を遂行するように構成されたコンピュータ実行可能なインストラクションを含むコンピュータプログラム。
【請求項１４】
少なくとも１つのプロセッサと、コンピュータプログラムコードを含む少なくとも１つのメモリとを備えた装置において、前記少なくとも１つのメモリ及びコンピュータプログラムコードは、前記少なくとも１つのプロセッサと共に、前記装置が、少なくとも、
第１及び第２間欠受信サイクルのどちらを使用すべきかを定める情報をメディアアクセスコントロール制御要素中でベースステーションから受信し、前記ベースステーションは第１の長さの前記第１の間欠サイクル及び第２の異なる長さの前記第２の間欠受信サイクルのいずれかを選択しており、前記第１及び第２サイクルは、両方とも、他のサイクルと独立した選択に利用できるものであり、及び
前記選択されたサイクルを使用する、
ようにさせるよう構成され、
前記情報は、前記第１サイクルと第２サイクルとの間の暗示的スイッチングをディスエイブルするように構成された装置。
【請求項１５】
前記選択は、前記ベースステーションへ送信されるべくユーザ装置でバッファされるデータがないとの決定に応答して、前記第１及び第２サイクルの長い方を選択することを含む、請求項１４に記載の装置。
【請求項１６】
前記選択は、前記ベースステーションへ送信されるべくユーザ装置でバッファされるデータが前記第１及び第２サイクルの長い方に関連する遅延を寛容するとの決定に応答して、前記第１及び第２サイクルの長い方を選択することを含む、請求項１４に記載の装置。
【請求項１７】
前記選択は、チャンネルに関連した構成された遅延寛容性に依存して選択することを含む、請求項１６に記載の装置。
【請求項１８】
前記選択は、各々の確立されたベアラに関連したサービス品質クラス識別子に応答して選択することを含む、請求項１４から１７のいずれかに記載の装置。
【請求項１９】
前記第１サイクルは、長いサイクルを含み、前記第２サイクルは短いサイクルを含む、請求項１４から１８のいずれかに記載の装置。
【請求項２０】
少なくとも１つのプロセッサと、コンピュータプログラムコードを含む少なくとも１つのメモリとを備えた装置において、前記少なくとも１つのメモリ及びコンピュータプログラムコードは、前記少なくとも１つのプロセッサと共に、前記装置が、少なくとも、
第１の長さの第１の間欠サイクル及び第２の異なる長さの第２の間欠受信サイクルのいずれかを選択し、前記第１及び第２サイクルは、両方とも、他のサイクルと独立した選択に利用できるものであり、
前記第１及び第２間欠受信サイクルのどちらを使用すべきかを定める情報をメディアアクセスコントロール制御要素中でユーザ装置に送信する、
ようにさせるよう構成され、
前記情報は、前記第１サイクルと第２サイクルとの間の暗示的スイッチングをディスエイブルするように構成された装置。
【請求項２１】
前記少なくとも１つのメモリ及びコンピュータプログラムコードは、前記少なくとも１つのプロセッサと共に、前記装置が、各々の確立されたベアラに関連したサービス品質クラス識別子に応答して選択を行うようにさせるよう構成された、請求項２０に記載の装置。
【請求項２２】
前記少なくとも１つのメモリ及びコンピュータプログラムコードは、前記少なくとも１つのプロセッサと共に、前記装置が、ベースステーションへ送信されるべく前記ユーザ装置でバッファされるデータがないとの決定に応答して、前記第１及び第２サイクルの長い方を選択させるように構成された、請求項２０から２１のいずれかに記載の装置。
【請求項２３】
前記第１サイクルは、長いサイクルを含み、前記第２サイクルは短いサイクルを含む、請求項２０又は２２に記載の装置。
【請求項２４】
前記少なくとも１つのメモリ及びコンピュータプログラムコードは、前記少なくとも１つのプロセッサと共に、ベースステーションが、ダウンリンクＤＬデータ、ＵＥからのバッファ状態レジスタ、チャンネル、確立されるチャンネルの形式、確立の原因及び／又はＵＥ構成、のうちの少なくとも１つに基づいて選択を行うようにさせるよう構成された、請求項２０から２１のいずれかに記載の装置。
【請求項２５】
前記少なくとも１つのメモリ及びコンピュータプログラムコードは、前記少なくとも１つのプロセッサと共に、ベースステーションが、チャンネルに関連した構成された遅延寛容性に基づいて選択を行うようにさせるよう構成された、請求項２０から２１のいずれかに記載の装置。
【発明の詳細な説明】
【技術分野】
【０００１】
本発明は、通信システムにおいて間欠受信（ＤＲＸ）を行う装置及び方法に関する。
【背景技術】
【０００２】
通信システムとは、通信装置間にキャリアを搬送することにより、ユーザターミナル、マシン状ターミナル、ベースステーション及び／又は他のノードのような２つ以上の装置間で通信を行うことのできるファシリティであると考えられる。又、通信システムは、例えば、通信ネットワーク及び１つ以上の適合する通信装置によって設けられる。通信は、例えば、音声、電子メール（ｅ−メール）、テキストメッセージ、マルチメディア及び／又はコンテンツデータ、等の通信を搬送するためのデータの通信を含む。提供されるサービスの非限定例は、二方向又は多方向コール、データ通信又はマルチメディアサービス、及びインターネットのようなデータネットワークシステムへのアクセスを含む。
【０００３】
ワイヤレスシステムでは、少なくとも２つのステーション間の通信の少なくとも一部分がワイヤレスインターフェイスを経て行われる。ワイヤレスシステムは、例えば、公衆地上移動ネットワーク（ＰＬＭＮ）、衛星ベースの通信システム、及び異なるワイヤレスローカルネットワーク、例えば、ワイヤレスローカルエリアネットワーク（ＷＬＡＮ）を含む。ワイヤレスシステムは、典型的に、セルに分割され、それ故、セルラーシステムとしばしば称される。ユーザは、適当な通信装置又はターミナルによって通信システムにアクセスすることができる。ユーザの通信装置は、ユーザ装置（ＵＥ）としばしば称される。通信装置には、通信を可能にし、例えば、通信ネットワークへのアクセスを可能にし、又は他のユーザとの直接的な通信を可能にするために適当な信号受信及び送信装置が設けられる。通信装置は、セルのステーション、例えば、ベースステーションにより提供されるキャリアにアクセスし、そしてキャリアを経て通信を送信及び／又は受信する。
【０００４】
通信システム及びそれに関連した装置は、典型的に、システムに関連した種々のエンティティが何を行うことが許され及びどのようにそれを達成すべきかを規定した所与の規格又は仕様書に基づいて動作する。又、接続に使用すべき通信プロトコル及び／又はパラメータも典型的に定義される。標準化された無線アクセス技術は、例えば、ＧＳＭ（登録商標）（移動用のグローバルシステム）、ＥＤＧＥ（ＧＳＭ（登録商標）進化のためのエンハンストデータ）無線アクセスネットワーク（ＧＥＲＡＮ）、ユニバーサル地上無線アクセスネットワーク（ＵＴＲＡＮ）及び進化型ＵＴＲＡＮ（Ｅ−ＵＴＲＡＮ）を含む。標準化された通信システムアーキテクチャーは、例えば、ユニバーサル移動テレコミュニケーションシステム（ＵＭＴＳ）無線アクセス技術の長期進化（ＬＴＥ）である。ＬＴＥは、第３世代パートナーシッププロジェクト（３ＧＰＰ）により標準化される。ＬＴＥは、進化型ユニバーサル地上無線アクセスネットワーク（Ｅ−ＵＴＲＡＮ）を使用する。３ＧＰＰ仕様の種々の開発段階はリリースと称される。ＬＴＥの更なる開発は、ＬＴＥアドバンスト（ＬＴＥ−Ａ）とも称される。
【発明の概要】
【発明が解決しようとする課題】
【０００５】
例えば、３ＧＰＰ規格の長期進化（ＬＴＥ）では、間欠受信（ＤＲＸ）モードがサポートされる。ＤＲＸは、典型的に、装置のバッテリ電力を保存し、ワイヤレスリソースを節約し、そして全体的なシステム容量を増加するために利用される。
【課題を解決するための手段】
【０００６】
第１の態様によれば、第１の長さの第１の間欠サイクル及び第２の異なる長さの第２の間欠受信サイクルの１つを選択し、前記第１及び第２サイクルは、両方とも、選択のために利用できるものであり、そして前記選択されたサイクルを使用することを含む方法が提供される。
【０００７】
第２の態様によれば、第１の長さの第１の間欠サイクル及び第２の異なる長さの第２の間欠受信サイクルの１つを選択し、前記第１及び第２サイクルは、両方とも、選択のために利用できるものであり、そして前記選択されたサイクルに関する情報をユーザ装置へ送信することを含む方法が提供される。
【０００８】
第３の態様によれば、実行時に、前記第１又は第２の態様の方法を遂行するように構成されたコンピュータ実行可能なインストラクションを含むコンピュータプログラムが提供される。
【０００９】
第４の態様によれば、少なくとも１つのプロセッサと、コンピュータプログラムコードを含む少なくとも１つのメモリとを備えた装置において、前記少なくとも１つのメモリ及びコンピュータプログラムコードは、前記少なくとも１つのプロセッサと共に、前記装置が、少なくとも、第１の長さの第１の間欠サイクル及び第２の異なる長さの第２の間欠受信サイクルの１つを選択し、前記第１及び第２サイクルは、両方とも、選択のために利用できるものであり、そして前記選択されたサイクルを使用する、ようにさせるよう構成された装置が提供される。
【００１０】
第５の態様によれば、前記第４の態様による装置を備えたユーザ装置が提供される。
【００１１】
第６の態様によれば、少なくとも１つのプロセッサと、コンピュータプログラムコードを含む少なくとも１つのメモリとを備えたユーザ装置のための装置において、前記少なくとも１つのメモリ及びコンピュータプログラムコードは、前記少なくとも１つのプロセッサと共に、前記装置が、少なくとも、第１の長さの第１の間欠サイクル及び第２の異なる長さの第２の間欠受信サイクルの１つを選択し、前記第１及び第２サイクルは、両方とも、選択のために利用できるものであり、そして前記選択されたサイクルに関する情報をユーザ装置へ送信する、ようにさせるよう構成された装置が提供される。
【００１２】
第７の態様によれば、前記第６の態様による装置を備えたベースステーションが提供される。
【００１３】
種々の他の態様及び更に別の実施形態は、実施形態の以下の詳細な説明及び特許請求の範囲に記載される。
【図面の簡単な説明】
【００１４】
【図１】ある実施形態によるネットワークの概略図である。
【図２】ある実施形態による移動通信装置の概略図である。
【図３】ある実施形態によるコントロール装置の概略図である。
【図４】ＤＲＸサイクルの一例を示す。
【図５】一実施形態による第１の方法を示す。
【図６】一実施形態による第２の方法を示す。
【図７】一実施形態による第３の方法を示す。
【発明を実施するための形態】
【００１５】
移動通信装置にサービスするワイヤレス又は移動通信システムを参照して幾つかの規範的な実施形態を以下に説明する。規範的な実施形態を詳細に説明する前に、ここに述べる実施例の基礎となる技術を理解する上で助けとするため、図１から３を参照して、ワイヤレス通信システム、そのアクセスシステム及び移動通信システムの一般的な原理を簡単に説明する。
【００１６】
移動通信装置又はユーザ装置１０１、１０２、１０３、１０４には、典型的に、アクセスシステムの少なくとも１つのベースステーション又は同様のワイヤレス送信及び／又は受信ノードを経てワイヤレスアクセスが与えられる。図１において、３つの隣接及び重畳するアクセスシステム又は無線サービスエリア１００、１１０及び１２０がベースステーション１０５、１０６及び１０８により与えられるように示されている。
【００１７】
しかしながら、３つのアクセスシステムに代わって、通信システムには、いかなる数のアクセスシステムが設けられてもよいことに注意されたい。アクセスシステムは、セルラーシステム又は別のシステムのセルによって設けられ、通信装置が通信システムにアクセスできるようにする。ベースステーションサイト１０５、１０６、１０８は、１つ以上のセルを形成することができる。又、ベースステーションは、セル又はセルのサブエリアを各々形成する複数のセクタ、例えば、３つの無線セクタを形成することもできる。１つのセル内の全てのセクタは、同じベースステーションによってサービスされる。セクタ内の無線リンクは、そのセクタに属する単一の論理的識別により識別される。従って、ベースステーションは、１つ以上の無線サービスエリアを形成する。各移動通信装置１０１、１０２、１０３、１０４及びベースステーション１０５、１０６、１０８は、同時にオープンする１つ以上の無線チャンネルを有し、そして２つ以上のソースへ信号を送信し及び／又はそこから信号を受信する。
【００１８】
ベースステーション１０５、１０６、１０８は、典型的に、それらベースステーションを動作できると共に、それらベースステーション１０５、１０６、１０８との通信において移動通信装置１０１、１０２、１０３、１０４を管理できるように、少なくとも１つの適当なコントローラ装置１０９、１０７によってコントロールされる。コントローラ装置１０９、１０７は、他のコントロールエンティティと相互接続される。コントローラ装置１０９又は１０７には、典型的に、メモリ容量３０１及び少なくとも１つのデータプロセッサ３０２が設けられる。コントローラ装置１０９及びその機能は、複数のコントローラユニット間に分散される。図１には示されていないが、ある実施形態では、各ベースステーション１０５、１０６及び１０８がコントローラ装置１０９、１０７を含む。
【００１９】
図１において、説明上、セル境界又は縁が概略的に示されているに過ぎない。セル又は他の無線サービスエリアのサイズ及び形状は、図１の同様のサイズの全方向形状とは著しく異なってもよいことを理解されたい。
【００２０】
特に、図１は、マクロｅＮＢ１０５、１０６である２つのワイドエリアベースステーション１０５、１０６を示している。マクロｅＮＢ１０５、１０６は、各々、セル１００及び１１０の全カバレージを経てデータを送信及び受信する。又、図１は、ある実施形態では、ピコｅＮＢ１０８である小さなベースステーション又はアクセスポイントも示している。この小さなベースステーション１０８のカバレージは、一般的に、ワイドエリアベースステーション１０５、１０６のカバレージより小さい。小さなノード１０８により与えられるカバレージは、マクロｅＮＢ１０５、１０６により与えられるカバレージと重畳する。ある実施形態では、小さなノードは、フェムト又はホームｅＮＢである。ピコｅＮＢは、マクロｅＮＢ１０５、１０６の元のセルカバレージ１００、１１０の外側にマクロｅＮＢ１０５、１０６のカバレージを拡張するのに使用される。又、ピコｅＮＢは、既存のセル１００、１１０内にカバレージのない「ギャップ」又は「シャドー」にセルカバレージを与えるのにも使用でき、及び／又は「ホットスポット」として働く。
【００２１】
図示されたように、無線サービスエリアは重畳することができる。従って、あるエリアにおいて送信される信号は、別のエリアの通信と干渉し得る（マクロ対マクロ、及びピコ対マクロセルの一方又は両方）。
【００２２】
ある実施形態では、ピコｅＮＢ又は小さなｅＮＢが存在しないことに注意されたい。別の実施形態では、ピコ又は小さなｅＮＢのみが存在する。ある実施形態では、マクロｅＮＢが存在しない。
【００２３】
通信装置１０１、１０２、１０３、１０４は、コード分割多重アクセス（ＣＤＭＡ）又はワイドバンドＣＤＭＡ（ＷＣＤＭＡ（登録商標））のような種々のアクセス技術に基づいて通信システムにアクセスすることができる。他の例として、時分割多重アクセス（ＴＤＭＡ）、周波数分割多重アクセス（ＦＤＭＡ）、及びその種々のスキーム、例えば、インターリーブ型周波数分割多重アクセス（ＩＦＤＭＡ）、単一キャリア周波数分割多重アクセス（ＳＣ−ＦＤＭＡ）及び直交周波数分割多重アクセス（ＯＦＤＭＡ）、スペース分割多重アクセス（ＳＤＭＡ）、等を含む。
【００２４】
通信システムにおける最近の開発の幾つかの非限定例は、第３世代パートナーシッププロジェクト（３ＧＰＰ）により規格化されたユニバーサル移動テレコミュニケーションズシステム（ＵＭＴＳ）の長期進化（ＬＴＥ）である。上述したように、ＬＴＥの更なる開発は、ＬＴＥ−アドバンストと称される。適当なアクセスノードの非限定例は、例えば、３ＧＰＰ仕様の語彙においてＮｏｄｅＢ（ＮＢ）として知られたセルラーシステムのベースステーションである。ＬＴＥは、進化型ユニバーサル地上無線アクセスネットワーク（Ｅ−ＵＴＲＡＮ）として知られた移動アーキテクチャーを使用する。そのようなシステムのベースステーションは、進化型ノードＢ（ｅＮＢ）として知られているもので、ユーザプレーン無線リンクコントロール／メディアアクセスコントロール／物理的レイヤプロトコル（ＲＬＣ／ＭＡＣ／ＰＨＹ）、及びユーザ装置に向かうコントロールプレーン無線リソースコントロール（ＲＲＣ）プロトコルターミネーションのようなＥ−ＵＴＲＡＮ特徴を備えている。無線アクセスシステムの他の例は、ワイヤレスローカルエリアネットワーク（ＷＬＡＮ）及び／又はＷｉＭａｘ（マイクロ波アクセスのためのワールドワイド相互運用性）のようなテクノロジーに基づくシステムのベースステーションにより与えられるものを含む。
【００２５】
図１において、アクセスシステムのベースステーション１０５、１０６、１０８は、ワイドな通信ネットワーク１１３に接続される。コントローラ装置１０７、１０９は、アクセスエリアの動作を整合するために設けられている。又、ゲートウェイファンクション１１２は、ネットワーク１１３を経て別のネットワークに接続するために設けられる。又、小さなベースステーション１０８は、個別のゲートウェイファンクション１１１により他のネットワークにも接続される。ベースステーション１０５、１０６、１０８は、データを送信及び受信するための通信リンクによって互いに接続される。通信リンクは、ベースステーション１０５、１０６、１０８間でデータを送信及び受信するための適当な手段であり、そしてある実施形態では、通信リンクは、Ｘ２リンクである。
【００２６】
他のネットワークは、適当なネットワークである。従って、ワイドな通信システムは、１つ以上の相互接続ネットワーク及びその要素により設けられ、そして種々のネットワークを相互接続するための１つ以上のゲートウェイが設けられる。
【００２７】
図２を参照して、移動通信装置を以下に詳細に説明する。図２は、ユーザが通信のために使用できる通信装置１０１の概略部分断面図である。そのような通信装置は、しばしばユーザ装置（ＵＥ）又はターミナルとも称される。無線信号を送信及び受信できる装置により適当な移動通信装置が形成される。非限定例として、移動電話又は「スマートホン」として知られているもののような移動ステーション（ＭＳ）、ワイヤレスインターフェイスカード又は他のワイヤレスインターフェイスファシリティが設けられたポータブルコンピュータ、ワイヤレス通信能力が設けられたパーソナルデータアシスタント（ＰＤＡ）、又はそれらの組み合わせ、等が含まれる。移動通信装置は、例えば、音声、電子メール（ｅ−メール）、テキストメッセージ、マルチメディア、等の通信を搬送するためのデータ通信を与える。従って、ユーザには、通信装置を経て多数のサービスがオファーされ提供される。それらサービスの非限定例は、二方向又は多方向コール、データ通信又はマルチメディアサービス、又は単にインターネットのようなデータ通信ネットワークシステムへのアクセスが含まれる。又、ユーザには、ブロードキャスト又はマルチキャストデータが提供される。コンテンツの非限定例として、ダウンロード、テレビジョン及び無線プログラム、ビデオ、広告、種々の警報、及び他の情報が含まれる。
【００２８】
移動装置１０１は、エアインターフェイス２０７にわたり適当な受信装置を経て信号を受信し、そして無線信号を送信する適当な装置を経て信号を送信する。図２では、トランシーバ装置が、ブロック２０６で概略的に示されている。トランシーバ装置２０６は、例えば、無線部及び関連アンテナ構成体により形成される。アンテナ構成体は、移動装置の内部に配置されてもよいし又は外部に配置されてもよい。
【００２９】
又、移動装置には、典型的に、アクセスシステム及び他の通信装置へのアクセス及びそれらとの通信の制御を含めて、遂行すべく設計されたタスクのソフトウェア及びハードウェア支援実行に使用するための少なくとも１つのデータ処理エンティティ２０１、少なくとも１つのメモリ２０２及び他の考えられるコンポーネント２０３が設けられる。データ処理、記憶及び他の関連コントロール装置は、適当な回路基板及び／又はチップセットに設けられる。この特徴は、参照番号２０４で示されている。
【００３０】
ユーザは、キーパッド２０５、音声コマンド、タッチ感知スクリーン又はパッド、その組み合わせ、等の適当なユーザインターフェイスにより移動装置の動作をコントロールする。ディスプレイ２０８、スピーカ及びマイクロホンも設けられる。更に、移動通信装置は、他の装置への適当なコネクタ（ワイヤード又はワイヤレス）、及び／又は例えば、ハンズフリー装置のような外部アクセサリを接続するためのコネクタを備えている。
【００３１】
図３は、例えば、アクセスシステムのステーションに結合され及び／又はそれをコントロールするための通信システム用のコントロール装置１０９の一例を示す。ある実施形態では、ベースステーション１０５、１０６、１０８は、コントローラ装置１０９を合体している。他の実施形態では、コントローラ装置は、別のネットワーク要素でよい。コントローラ装置１０９は、システムのサービスエリア内の移動通信装置により通信をコントロールするように構成される。コントローラ装置１０９は、少なくとも１つのメモリ３０１、少なくとも１つのデータ処理ユニット３０２、３０３、及び入力／出力インターフェイス３０４を備えている。インターフェイスを経て、コントローラ装置は、ベースステーションの受信器及び送信器に結合される。コントローラ装置１０９は、適当なソフトウェアコードを実行してコントロール機能を果たすように構成される。
【００３２】
ＤＲＸサイクルの一例が、図４に示されている。図示されたように、このサイクルは、アクティブ（オン・デュレーション(on duration)）周期及びノンアクティブ（ＤＲＸの機会）周期を含む。通信装置は、アクティブ周期中にコントロールチャンネルを監視しなければならない。
【００３３】
Ｅ−ＵＴＲＡＮのリリース８（Ｒｅｌ−８）からリリース１０（Ｒｅｌ−１０）において、長い及び短いＤＲＸサイクルを有するＤＲＸのメカニズムが指定されている。短いＤＲＸサイクル及び長いＤＲＸサイクルの両方が利用できる場合には、先ず、短いＤＲＸサイクルを使用しなければならない。短いＤＲＸサイクルは、インアクティビティタイマーの満了時に使用される。インアクティビティタイマーは、新たなダウンリンク指定／アップリンクグラントのスケジューリングによりスタート又は再スタートされる。同時に、短サイクルタイマーｄｒｘＳｈｏｒｔＣｙｃｌｅＴｉｍｅｒがスタート又は再スタートされる。長ＤＲＸサイクルは、ｄｒｘＳｈｏｒｔＣｙｃｌｅＴｉｍｅｒの満了時に使用される。換言すれば、長いサイクルは、ＤＲＸ短サイクルタイマーが満了になったときだけ使用される。
【００３４】
例えば、短いＤＲＸについて考えられる値：ｓｆ２、ｓｆ５、ｓｆ８、ｓｆ１０、ｓｆ１６、ｓｆ２０、ｓｆ３２、ｓｆ４０、ｓｆ６４、ｓｆ８０、ｓｆ１２８、ｓｆ１６０、ｓｆ２５６、ｓｆ３２０、ｓｆ５１２、ｓｆ６４０；及び長いサイクルについては：ｓｆ１０、ｓｆ２０、ｓｆ３２、ｓｆ４０、ｓｆ６４、ｓｆ８０、ｓｆ１２８、ｓｆ１６０、ｓｆ２５６、ｓｆ３２０、ｓｆ５１２、ｓｆ６４０、ｓｆ１０２４、ｓｆ２０４８、ｓｆ２５６０。（ｓｆ＝サブフレーム）。長いサイクルは、短いサイクルの倍数の時間である。
【００３５】
規格のＲｅｌ−８からＲｅｌ−１０バージョンで、短いサイクルが構成されない場合には、長いサイクルが使用される。ＤＲＸモードについてのＲｅｌ−８からＲｅｌ−１０の説明は、３ＧＰＰ  ＴＳ  ３６．３２１に見られる。
【００３６】
しかしながら、Ｒｅｌ−８からＲｅｌ−１０に明記された構成では、例えば、マルチベアラ構成において、データ送信が遅延寛容であるときは、短いＤＲＸサイクルの後に長いＤＲＸサイクルが続かねばならないことになる。遅延寛容データは、論理的チャンネルを経て与えられる。この状態において、長いＤＲＸサイクルが適当であるが、Ｒｅｌ−８からＲｅｌ−１０に定義されたように、短いＤＲＸサイクル及び長いＤＲＸサイクルの両方が構成される場合には、短いＤＲＸサイクルの後に長いＤＲＸサイクルが続くようにする必要がある。従って、新たなパケットが送信されるたびに、ＤＲＸの短サイクルタイマーの期間中、短いＤＲＸサイクルをたどらねばならない。従って、ユーザ装置に送信すべきものがないことをユーザ装置が知っているときでも、ユーザ装置は、ＤＲＸ短サイクルタイマーの期間中、この短いＤＲＸサイクルをたどらねばならない。ＵＥは、短いＤＲＸサイクルが構成された場合には新たなデータ送信に続いて長いＤＲＸサイクルを使用し続けることができない。これは、ＰＤＣＣＨ（物理的ダウンリンクコントロールチャンネル）の監視を不必要に増加し、バッテリを消費する。
【００３７】
ある実施形態では、短いＤＲＸサイクル及び長いＤＲＸサイクルの両方を選択に利用できる。換言すれば、長い及び短いＤＲＸサイクルが構成される。いずれのサイクルも、他とは独立して選択できる。短いサイクルを選択することもできるし、又は長いサイクルを選択することもできる。長いサイクルを選択することは、短いサイクルがそれ以前に選択されたことにも、又は短いサイクルが構成されておらず、従って、選択に利用できないことにも依存しない。
【００３８】
１つの実施形態において、ｅＮＢは、短いサイクル及び長いサイクルのどちらを使用すべきか選択する。ｅＮＢは、短いサイクル及び長いサイクルのどちらをユーザ装置に使用すべきかの情報を送信する。
【００３９】
それとは別に又はそれに加えて、ユーザ装置は、短いサイクル又は長いサイクルのどちらを使用すべきか選択することができる。ユーザ装置は、この情報をベースステーションへ信号する。１つの実施形態において、ユーザ装置は、ｅＮＢから確認が受け取られた後にこの選択されたＤＲＸサイクルを使用する。これは、ＵＥがその構成された短いＤＲＸサイクルを最初に使用することを要求するものではない。
【００４０】
それとは別に又はそれに加えて、ユーザ装置は、空のＢＳＲ（バッファ状態レジスタ）を送信しそしてｅＮＢから確認を受信した後に長いＤＲＸサイクルを選択する。これは、ＵＥがその構成された短いＤＲＸサイクルを最初に使用するのを要求するものではない。
【００４１】
一実施形態の方法を示す図５について以下に述べる。ステップＳ１において、１つ以上のベアラが設定される。これは、ユーザ装置とｅＮＢとの間の通信を伴う。
【００４２】
ステップＳ２において、長いＤＲＸ又は短いＤＲＸを選択するための明確なシグナリングが実行されるかどうか調べるためのチェックが行われる。もしそうであれば、図５に示す方法が進められる。
【００４３】
ステップＳ３において、各ベアラに対するＱＣＩ（クオリティ・オブ・サービスクラス識別子）が決定される。これは、ｅＮＢにより指定されるか、ユーザ装置により指定されるか、又はｅＮＢとユーザ装置との間の通信の結果として指定される。ある実施形態では、無線ネットワークコントローラのような上位ノードがＱＣＩを決定するか、又はＱＣＩの決定に関与する。それとは別に又はそれに加えて、ＵＥ開始解決策として、ｅＮＢは、あるＬＣＨがデータをバッファしている場合は、短いサイクルを選択するように構成し、さもなければ、長いサイクルを選択するように構成する。これは、ＵＥのＡＳ（アクセス層）においてＱＣＩを見えないようにする。
【００４４】
ステップＳ４において、論理的チャンネルＬＣＨが送信のためのデータをバッファしているかどうか調べるためにチェックが行われる。このチェックは、ユーザ装置において行われる。
【００４５】
ステップＳ５において、短いＤＲＸサイクル及び長いＤＲＸサイクルの１つが選択される。短い及び長いＤＲＸサイクルの１つを選択することは、ベアラのＱＣＩに依存すると共に、ＬＣＨがデータをバッファしているかどうかに依存する。ある実施形態では、送信のためのデータを有する遅延寛容ＬＣＨだけが長いサイクルを使用する。例えば、送信のためのデータをバッファしているＬＣＨが遅延寛容でない場合には、短いサイクルが使用される。或いは又、送信のためのデータがバッファされていない場合には、長いサイクルを使用することができる。
【００４６】
ステップＳ６において、選択されたＤＲＸサイクルが使用される。
【００４７】
１つの実施形態において、ステップＳ５では、ユーザ装置は、短い及び長いＤＲＸサイクルの選択された一方を指示する信号をｅＮＢへ送る。ユーザ装置は、ｅＮｏｄｅＢからの確認信号に応答して、ステップＳ６へ進む。
【００４８】
１つの実施形態において、ステップＳ２及びステップＳ３の一方が省略されてもよい。別の実施形態では、それらステップが両方とも省略されてもよい。
【００４９】
ＵＥ開始解決策では、ｅＮＢは、あるＬＣＨがデータをバッファしている場合には、短いサイクルを選択し、さもなければ、長いサイクルを選択し、等々であるように構成できる。これは、ＵＥのＡＳにおいてＱＣＩを見えないようにする。
【００５０】
別の実施形態を示す図６を参照する。
ステップＴ１において、１つ以上のベアラが設定される。
【００５１】
ステップＴ２において、ｅＮＢは、長い及び短いサイクルの一方を選択する。ｅＮＢは、適当な基準に基づいて判断を行う。例えば、ｅＮＢは、ＤＬデータ、ＵＥからのＢＳＲ、ＬＣＨ（論理チャンネル）、確立されるチャンネルの形式、確立の原因、例えば、遅延寛容アクセス、及び／又はＵＥ構成、例えば、ＥＡＢ（拡張アクセスクラスバーリング）に基づいて判断を行うことができる。ＵＥがサイクルを選択するある実施形態では、これらの基準の１つ以上がＵＥにより使用されることが明らかである。
【００５２】
ステップＴ３において、ｅＮｏｄｅＢは、選択されたサイクル情報をユーザ装置へ送信する。
【００５３】
ステップＴ４において、ユーザ装置は、選択されたＤＲＸサイクルを使用する。
【００５４】
図６の方法は、図５の方法と同様に、暗示的なシグナリングがディスエイブルされるかどうか調べるためのチェックを含む。ｅＮｏｄｅＢは、長い又は短いサイクルを選択するための適当な基準を使用する。例えば、長い又は短いサイクルは、特定の論理的チャンネルの遅延寛容度に依存する。
【００５５】
一実施形態の別の方法を示す図７を参照する。
ステップＵ１において、１つ以上のベアラが設定される。
【００５６】
ステップＵ２において、ＵＥは、空のＢＳＲ（バッファ状態レポート）をｅＮＢへ送信する。
【００５７】
ステップＵ３において、ベースステーションは、確認を送信し、これは、ＵＥによって受信される。
【００５８】
ステップＵ４において、この確認に応答して、ＵＥは、長いＤＲＸサイクルを選択する。
【００５９】
ベースステーションは、どの論理的チャンネルＬＣＨが遅延寛容であるかどうか、ひいては、データをバッファしていないＬＣＨが長いサイクルを使用すべきか短いサイクルを使用すべきかを構成する。
【００６０】
前記実施形態において、前記ステップは、図示されたものとは異なる順序で行われてもよい。
【００６１】
幾つかの実施形態は、しばらくの間に１つ以上のベアラが設定された後に遂行される。これは、図５ないし７のいずれかに示された１つ以上のステップが省略されてもよいことを意味する。
【００６２】
上述したものではなく、短いＤＲＸサイクルと長いＤＲＸサイクルとの間を選択するための別のルールを定義できることが明らかである。
【００６３】
幾つかの更に別の実施形態は、上述した１つ以上の異なる方法の１つ以上のステップで構成されてもよいことが明らかであろう。
【００６４】
ある実施形態では、ユーザ装置は、上位互換性であるように構成される。換言すれば、ユーザ装置は、Ｒｅｌ−８ないし１０規格に適合し得る実施形態及び幾つかの動作モードに基づいて動作する。これは、ｅＮｏｄｅＢにより無線リソースコントロールＲＲＣシグナリングを通してコントロールされる。
【００６５】
１つの実施形態において、ｅＮｏｄｅＢは、無線リソース再構成メッセージを送信するように構成される。その構成メッセージにおいて、リリース８から１０に定義されたレガシーＤＲＸ動作が使用されるかどうか又は前記実施形態が使用されるかどうか指示するために、１つ以上のビットが追加されるか又は使用される。
【００６６】
一実施形態において、ＲＲＣ再構成メッセージのＤＲＸ構成部分に１つ以上のビットが設けられる。これは、一例に過ぎず、ベースステーションとＵＥとの間に通信されるべき情報は、適当な１つ以上のメッセージにおいて適当なフォーマットで設けられることが明らかである。
【００６７】
ベースステーションが使用されるべきサイクルを明確に信号する場合及び／又はＵＥが使用されるべきサイクルを示唆する場合には、メッセージ内の１つ以上のビットが、短いタイマー（ｄｒｘＳｈｏｒｔＣｙｃｌｅＴｉｍｅｒ）の満了時に、短いＤＲＸサイクルと長いＤＲＸサイクルとの間のスイッチングをディスエイブルさせる。ＵＥは、短サイクルタイマー（ｄｒｘＳｈｏｒｔＣｙｃｌｅＴｉｍｅｒ）を維持しない。ＵＥは、インアクティビティタイマー（ＩｎａｃｔｉｖｉｔｙＴｉｍｅｒ）が満了となるか、又はＤＲＸコマンドＭＡＣコントロールエレメントが受信されたとき、（Ｒｅｌ−８及び１０で現在要求されているように）短いサイクルへ自律的にスイッチしない。ＤＲＸサイクルのスイッチングは、ｅＮＢ及び／又はＵＥによって明確にシグナリングされたときだけ行われる。
【００６８】
ある実施形態では、次の周期に対してどのサイクルを使用すべきか指示するためにＭＡＣ  ＣＥ（コントロールエレメント）が与えられる。例えば、ＭＡＣ  ＣＥがＤＲＸサイクルを示唆するためにＵＥからｅＮＢへ送られる場合には、ｅＮＢからの確認は、ＤＲＸサイクルを指示するためのＨＡＲＱ  ＡＣＫ又はＭＡＣ  ＣＥとなる。これは、示唆を確認するか、又は異なるサイクルを指示する。
【００６９】
幾つかの実施形態は、現在ＤＲＸ動作に対して作用する。現在動作に基づきＵＥが短いサイクル又は長いサイクルで動作しているときにサイクルを切り換えるために明確なシグナリングを使用することができる。ここに述べるものはさておき、他のＤＲＸタイマーの動作は、変化がない。ＵＥが空のＢＳＲを送信しそして確認を受信した後に長いサイクルへ直接進む場合には、ＵＥが空のＢＳＲを送信しそしてｅＮＢから確認ＡＣＫを受信した後に長いＤＲＸサイクルへ直接進むのが許されたことをメッセージ内の１つ以上のビットが指示する。これは、空のＢＳＲの後にこの長いサイクルを許すためにＲＲＣにより構成される。
【００７０】
ある実施形態では、３つ以上のサイクルが構成されてもよい。換言すれば、現在定義されている長いサイクル及び短いサイクルに対して付加的なサイクルがあってもよい。その付加的なサイクルは、異なる長さを有する。
【００７１】
ある実施形態では、短いＤＲＸサイクルと長いＤＲＸサイクルとの間をスイッチングするより柔軟なコントロールが導入される。これは、ＵＥの電力消費が少ないより積極的なＤＲＸ構成を提供する。より簡単で、より綺麗で、且つより頑健なＤＲＸ動作が提供される。
【００７２】
ネットワークコントロール装置の必要なデータ処理装置及び機能、通信装置、並びに他の適当なノード又はエレメントが１つ以上のデータプロセッサにより形成される。各端におけるここに述べる機能は、個別のプロセッサにより与えられてもよいし、一体型プロセッサにより与えられてもよい。データプロセッサは、ローカル技術環境に適したいずれの形式でもよく、汎用コンピュータ、特殊目的コンピュータ、マイクロプロセッサ、デジタル信号プロセッサ（ＤＳＰ）、特定用途向け集積回路（ＡＳＩＣ）、ゲートレベル回路、及びマルチコアプロセッサアーキテクチャーに基づくプロセッサ、の１つ以上を非限定例として含む。データ処理は、多数のデータ処理モジュールにわたって分散されてもよい。データプロセッサは、例えば、少なくとも１つのチップにより形成される。又、当該装置に適当なメモリ容量を設けることもできる。メモリ（１つ又は複数）は、ローカル技術環境に適したいずれの形式でもよく、そして適当なデータ記憶技術、例えば、半導体ベースのメモリ装置、磁気メモリ装置及びシステム、光学メモリ装置及びシステム、固定メモリ及び取り外し可能なメモリを使用して実施される。
【００７３】
以上、ワイヤレスネットワーク、技術及び規格のための幾つかの規範的アーキテクチャーを参照して幾つかの実施形態を一例として説明したが、それら実施形態は、ここに図示して説明したものとは別の適当な形式の通信システムにも適用することができる。又、異なる実施形態の異なる組み合わせも考えられることに注意されたい。又、以上の説明は、本発明の規範的実施形態を述べたものであるが、本発明の精神及び範囲から逸脱せずに、ここに開示した解決策に多数の変更や修正がなされ得ることにも注意されたい。
【符号の説明】
【００７４】
１００、１１０、１２０：アクセスシステム又は無線サービスエリア
１０１、１０２、１０３、１０４：ユーザ装置
１０５、１０６、１０８：ベースステーションサイト
１０７、１０９：コントロール装置
１１１：個別のゲートウェイファンクション
１１２：ゲートウェイファンクション
１１３：通信ネットワーク
２０１：データ処理エンティティ
２０２：メモリ
２０５：キーパッド
２０６：トランシーバ装置
２０８：ディスプレイ
３０１：メモリ
３０２、３０３：データ処理ユニット
３０４：入力／出力インターフェイス
【図１】
0006053797.tif 000002
【図２】
0006053797.tif 000003
【図３】
0006053797.tif 000004
【図４】
0006053797.tif 000005
【図５】
0006053797.tif 000006
【図６】
0006053797.tif 000007
【図７】
0006053797.tif 000008